(57)【要約】      （修正有）【課題】石こうボード等を、２枚目の途中ではなく２枚目の全体に連続作業にてビス止め可能にする。【解決手段】マガジン１９の内径が１１０ｍｍ±３ｍｍのビス打ち機１８を用いて、マガジン１９にビス１２の連結数が１２５本のビス連結体Ａを装填してビス打ちする。１２５本のビスが連結帯に並列保持され、該連結帯は内径が１１０ｍｍ±３ｍｍのマガジン内に装填可能に渦巻状に構成されてなる。【選択図】図３
2010149264.tif 000002
【特許請求の範囲】
【請求項１】
ビス連結体を収納するマガジンの内径が１１０ｍｍ±３ｍｍのビス打ち機を用いて、該マガジンにビスの連結数が１２５本のビス連結体を装填してビス打ちすることを特徴とするビス打ち方法。
【請求項２】
１２５本のビスが連結帯に並列保持され、該連結帯は内径が１１０ｍｍ±３ｍｍのマガジン内に装填可能に渦巻状に構成されてなることを特徴とするビス連結体。
【発明の詳細な説明】
【技術分野】
【０００１】
本発明は、木造軸組工法等における石膏ボード等のビス打ち方法およびこのビス打ちに使用するビス連結体に関する。
【背景技術】
【０００２】
木造軸組工法の耐力壁には一般的に筋交いが用いられ、壁内部には石こうボードが貼り付けられる。この石こうボードの貼り付けは、例えば胴差や野縁受けを上端として両側の柱および下端の受け材に石こうボードを当接し、ビス打ち機によりその石こうボードを通してビスを前記胴差等に打ち込むことにより行われる。
このビス打ち機は、長尺の連結帯に多数本のビスを並列保持した渦巻状のビス連結体をマガジンに収納してなり、マガジンから送り出された連結帯上のビスを、打ち出し機構によって一本ずつ石こうボードを貫通して前記野縁等へに打ち込むように機能する（例えば、特許文献１参照）。
【０００３】
ところで、かかるビス打ち機で使用されるマガジンには、通常１００本を単位として前記連結帯にビスが並列保持され、かつ渦巻状に束ねられた前記ビス連結体が、前述のように収納される。
一方、前記木造軸組工法では、かかるビス打ち機を用いて、石こうボードを、図５に示すような上部の胴差１、両側の柱２や間柱３、下部の受け材４に対しビス６止めする場合に、その石こうボード５に対するビス止め間隔、ビス止め数に一定の決まりがある。
【０００４】
例えば、９１０ｍｍ×２４２０ｍｍサイズの石こうボード５のビス止めでは、
打ち込みピッチを１５０ｍｍとする必要があり、このためビス６の打ち込み数を縦方向に１６本×３列、横方向に６本×２列とした場合に、全部で６０本のビスが必要になる。また、９１０ｍｍ×２７３０ｍｍの石こうボード５のビス止めでは、打ち込みピッチを１５０ｍｍで、ビス６の打ち込み数を縦方向に１８本×３列、横方向に６本×２列とした場合に、全部で６６本のビスが必要になる。
【０００５】
従って、この前記連結ビスの一巻き分（ビスが１００本分）で石こうボード５の一枚分のビス止めが可能になる。この場合に、各石こうボード５ごとにビスがそれぞれ４０本分および３４本分余ることになる。また、枠組壁工法においては、ビスの打ち込みの外周ピッチが１００ｍｍ、中通が２００ｍｍで認定を受けているため、石こうボード張り合板を１枚しかビス止めできない。
【特許文献１】実開昭５７−１３４４１３号公報
【発明の開示】
【発明が解決しようとする課題】
【０００６】
しかしながら、従来の木造軸組方法では、一枚目に続いて二枚目の石こうボード５をビス６止めする場合に、前記残りの４０本および３４本を使い切った後、ビスが無くなった連結帯をマガジンから取り外し、１００本のビスを持ったビス連結体を新たにマガジン内に装填する必要があり、ビス連結体の交換作業が煩わしいばかりか、この交換作業に手間取り、木造軸組の施工効率を悪くしているという不都合があった。枠組み壁工法における石こうボード張り合板のビス止めについても、前記同様にビス止め作業中のビス連結体の交換作業が煩わしいという不都合があった。
【０００７】
本発明は、前述のような従来の問題点に着目してなされたものであり、石こうボード等を２枚目の途中ではなく２枚目の全体に連続打ちでビス止めすることができるビス打ち方法およびこの方法の実施に利用するビス連結体を得ることを目的とする。
【課題を解決するための手段】
【０００８】
前記目的達成のために、本発明に係るビス打ち方法は、ビス連結体を収納するマガジンの内径が１１０ｍｍ±３ｍｍのビス打ち機を用いて、該マガジンにビスの連結数が１２５本のビス連結体を装填してビス打ちすることを特徴とする。
これにより、前記マガジン内には連結数が１２５本のビスが一度に収納されることとなり、木造軸組工法における９１０ｍｍ×２４２０ｍｍおよび９１０ｍｍ×２７３０ｍｍのいずれのサイズの石こうボードも、連結ビスの一巻分の連結ビスを用いて二枚分を、途中で作業を中断することなく連続的にビス打ちすることができる。従って、木造軸組全体の作業効率を高めることができる。
【０００９】
また、本発明に係るビス連結体は、１２５本のビスが連結帯に並列保持され、該連結帯は内径が１１０ｍｍ±３ｍｍのマガジン内に装填可能に渦巻状に構成されてなることを特徴とする。
この構成により、マガジン内には連結ビスとして従来数より多い１２５本のビスを一度に収納でき、石こうボード２枚分に対するビス打ち作業を休まずに実施することができる。また、かかる構成のビス連結体を大きなコストアップなく提供できる。
【発明の効果】
【００１０】
本発明によれば、石こうボードに対するビス止めを、その石こうボードの２枚目の途中でビス連結体の交換をすることなく、連続的に２枚目の石こうボード全体に規定数分ビス止めすることができる。従って、石こうボードの取り付け作業の効率を高めることができる。
【発明を実施するための最良の形態】
【００１１】
以下に、本発明の実施形態によるビス打ち方法およびこの方法の実施に利用するビス連結体を、図面を参照して詳細に説明する。
図１は、本発明の実施形態による連結ビスを示す斜視図、図２は、図１の連結ビスの要部を拡大して示す斜視図、図３は、ビス打ち機を示す斜視図、図４は、図３のビス打ち機によるビス打ち状態を示す説明図である。
【００１２】
本実施形態におけるビス連結体Ａは、連結帯１１に１２５本のビス１２を並列保持させた構成を持つ。この連結帯１１は、弾性を有する長尺の合成樹脂成形品からなり、帯状の起立片１３と、この起立片１３の上下縁に直角方向に連設した複数（例えば１２５個ずつ）の上部片１４と下部片１５とを備えている。
【００１３】
上部片１４および下部片１５には、ビス１２を直立状態にて保持するビス保持孔１６、１７が形成され、これらのビス保持孔１６、１７には切欠１６ａ、１７ａが連続するように設けられている。これらの切欠１６ａ、１７ａは上部片１４および下部片１５の自由端側に開放されている。ビス１２はビス保持孔１６，１７内に支持されて、連結体１１の長手方向に所定間隔で並列状態に連結されている。これが図１に示すように渦巻状に巻き回されてマガジンに収納される。
なお、起立片１３の、隣接する上部片１４と１４の間と下部片１５と１５の間を結ぶ線上には、Ｕ溝やＶ溝等の溝（図示省略）を設けると、図１に示すように渦巻状に巻き回す際に、この溝が起立片１３の湾曲（巻き回し）を容易にすると共に湾曲を吸収し巻き回しの径を小さくできるので好ましい。
【００１４】
この連結帯１１に前述のように保持されたビス１２は１２０本〜１３０本、好ましくは１２５本とすることが望ましく、木造軸組工法等によって決められた石こうボード２枚分をビス止め可能にする本数とする。また、このような１２０本〜１３０本のビス１２を連結帯１１に装填されたビス連結体Ａの外径および厚みは、既存のビス打機のマガジンに収納可能なサイズとされている。
【００１５】
図３は、前記ビス連結体Ａをビス打ち機１８のマガジン１９内に装填した状態を一部破断して示す。このビス打ち機１８は、ビス打ち部本体２０の基部に杷手部２１を有する。この杷手部２１にはトリガレバー２２が設けられ、このトリガレバー２２の操作によって、高圧ホース２５を通して供給される高圧エアーによりドライバ２３を高速で突出および回転させるビス打ち（締め込み）作業またはブレード（ハンマー）で打ち込む作業を開始させることができる。
【００１６】
マガジン１９はビス打ち機構部２０の先端部に、前記トリガレバー２２の操作ごとに、ビス連結体Ａの連結帯１１を所定量ずつビス打ち部（図示しない）に送り出す。続いて、送り出されたビス連結体Ａのビス１２を、前記ドライバ２３の先で押し下げ、上部片１４および下部片１５を同時に押し下げるようにして、これらからビス１２を強制分離する、こうして筒部２４の先端から外へ一本ずつビスを打ち出す（送り出す）。さらに、この送り出したビス１２の頭の溝に前記ドライバ（図示省略）の先を係合して、このドライバを高速回転させる。
【００１７】
ビス１２の打ち出し（送り出し）および回転は高圧ホース２５を介して供給される空気圧によって前述のように実施される。なお、このビス１２の送り出し時に前記ドライバの先端が上部片１４および下部片１５を、図４に示すように次々に下方へ押し倒し、ビス１２をビス保持孔１６、１７および切欠１６ａ、１７ａから分離して、ビス１２の前記送り出しを円滑化する。また、この送り出しに続いて、石こうボード５に貫通させたビス１２を前記胴差１および柱２等に対しねじ込む。
なお、ここではビス打ち機がねじ込み式の場合で説明したがこれは打ち込み式であってもよいことはもちろんである。
【００１８】
このように、本実施形態では、マガジン１９の内径が１１０ｍｍ±３ｍｍのビス打ち機１８を用いて、マガジン１９にビス１２の連結数が１２５本のビス連結体Ａを装填してビス打ちすることで、従来は連結数が１００本のビス１２を収納していたマガジン内に、連結数が１２５本のビス１２が一度に収納されるため、木造軸組工法のもとで使用される９１０ｍｍ×２４２０ｍｍおよび９１０ｍｍ×２７３０ｍｍの各サイズの石こうボード５も、連結ビスＡの一巻分のビス１２を用いて、途中で連結ビスの交換作業を行うことなく、つまりビス１２の打ち込み作業を中断することなく、二枚分を連続的にビス打ちすることができる。従って、木造軸組作業全体の効率を高めることができる。
【００１９】
また、１２５本のビス１２が連結帯１１に保持され、内径が１１０ｍｍ±３ｍｍのマガジン内に渦巻状に装填可能にビス連結体Ａを構成したことにより、マガジン内には従来数より多い１２５本のビス１２を一度に収納できる。従って、石こうボード２枚分に対するビス打ち作業を途中で中断することなく、継続することができる。また、ビス数の増加にかかわらず、ビス連結体Ａ全体の大きなコストアップを回避できるという効果も得られる。
【産業上の利用可能性】
【００２０】
本発明は、石こうボード等を２枚目の途中ではなく２枚目の全体に連続作業でビス止めすることができるという効果を有し、木造軸組工法等における石膏ボード等のビス打ち方法およびこのビス打ちに使用するビス連結体に有用である。
【図面の簡単な説明】
【００２１】
【図１】本発明の実施形態によるビス連結体を示す斜視図である。
【図２】図１の連結ビスの要部を拡大して示す斜視図である。
【図３】ビス打ち機を示す斜視図である。
【図４】図３のビス打ち機によるビス打ち状態を示す説明図である。
【図５】木造軸組工法による石こうボードのビス打ち方法を示す説明図である。
【符号の説明】
【００２２】
Ａ  ビス連結体
１１  連結帯
１２  ビス
１３  起立片
１４  上部片
１５  下部片
１６、１７  ビス保持孔
１６ａ、１７ａ  切欠
１８  ビス打ち機
１９  マガジン
２０  ビス打ち機構部
２１  杷手部
２２  トリガレバー
【図１】
2010149264.tif 000003
【図２】
2010149264.tif 000004
【図３】
2010149264.tif 000005
【図４】
2010149264.tif 000006
【図５】
2010149264.tif 000007